(57)【特許請求の範囲】
【請求項１】
デジタル音響情報とともに放送され前記デジタル音響情報の内容を特定する識別情報である曲情報を受信するデジタルラジオ受信器であって、
前記デジタル音響情報と前記曲情報のうちで、前記曲情報のみを記憶する内部メモリーと、
前記内部メモリーの前記曲情報が配される領域にフラグを書きこむための操作部と、
前記内部メモリーの前記曲情報が配される領域に記憶された前記曲情報の処理を行う制御部と、を備え、
前記制御部は、
前記曲情報にフラグを有する場合には、該曲情報が配されている領域から該曲情報の削除をする制御をせず、
前記内部メモリーに記憶することができる、曲情報の数、又は、フラグの無い曲情報の数が予め定める最大数を越える場合には、前記曲情報が配される領域からフラグの無い曲情報の削除をする制御をして、さらに、フラグを有する曲情報の記録を可能とし、
該デジタルラジオ受信器に対して分離可能とされる外部機器が、該デジタルラジオ受信器に接続されている場合には、前記フラグを有する曲情報を該デジタルラジオ受信器から該外部機器に転送し、
前記曲情報を該デジタルラジオ受信器から前記外部機器に転送した後に前記フラグを有する曲情報を削除する、
デジタルラジオ受信器。
【請求項２】
前記内部メモリーに記憶される曲情報の数が３以上である、請求項１に記載のデジタルラジオ受信器。
【請求項３】
前記内部メモリーに記憶する曲情報の最大数を前記操作部から設定する、請求項１に記載のデジタルラジオ受信器。
【請求項４】
さらに、前記外部装置に電波を介して接続して、前記内部メモリーに記憶された前記曲情報を該外部装置に送出するための無線ランを備える、請求項１に記載のデジタルラジオ受信器。
【請求項５】
前記制御部は、
前記曲情報のフラグの有り無し、を書き換える制御をする、請求項１に記載のデジタルラジオ受信器。
【発明の詳細な説明】
【技術分野】
【０００１】
本発明は、デジタルラジオ受信器に関する。
【背景技術】
【０００２】
近年、デジタルラジオ放送（HD-RADIO）が米国で開始された。このようなデジタルラジオ放送では、例えば衛星を使用して、数１０から１００チャンネル以上の番組が同時に放送される。デジタルラジオ放送を受信するデジタルラジオ受信器では、従来のラジオ放送と同様に、ユーザーが所望するチャンネル選局してこれを利用することができる。また、衛星デジタルラジオ放送では、音楽データ等の情報とともに番組付加情報が送られる。番組付加情報には、当該番組のチャンネル番号及びチャンネル名の他に、例えば音楽を放送中のときは曲名、アーティスト名、タイトル（曲名）、カテゴリー、経過時間（曲の始めからの経過時間）などの情報が含まれている（例えば、特許文献１を参照）。
【０００３】
また、このようなデジタルラジオ放送を受信するデジタルラジオ受信器とハードディスクドライブ(HDD)とを一体として、受信に加えて音楽データ等の受信情報を記録するデジタルラジオ受信装置も提案されている（例えば、特許文献２を参照）。
【特許文献１】特許第４０１４９６８号公報
【特許文献２】特開２００７−１１０２４４号公報
【発明の開示】
【発明が解決しようとする課題】
【０００４】
このようなハードディスクドライブを備えたデジタルラジオ受信装置では、音楽データ等を受信するとともにこれを記録できるという利便性があるが、装置の小型化を図る場合には、記録できる情報の量に制約があり、また、自由に情報を記録できるとすると著作権を害する場合もあった。
【０００５】
本発明は、係る課題を解決して、小型化されたデジタルラジオ受信器を提供する。
【課題を解決するための手段】
【０００６】
本発明のデジタルラジオ受信器は、デジタル音響情報とともに放送され前記デジタル音響情報の内容を特定する識別情報である曲情報を受信するデジタルラジオ受信器であって、前記曲情報を記憶する内部メモリーと、前記内部メモリーに記録されている前記曲情報にフラグを付す契機を設定する操作部と、前記内部メモリーに前記曲情報を記憶する処理を行う制御部と、を備えるものである。
【発明の効果】
【０００７】
本発明のデジタルラジオ受信器によれば、装置を小型化するとともに、所望の曲情報の取得を可能とするデジタルラジオ受信器を提供できる。
【発明を実施するための最良の形態】
【０００８】
実施形態のデジタルラジオ受信器は、デジタル音響情報とともに放送されデジタル音響情報の内容を特定する識別情報である曲情報を受信するデジタルラジオ受信器である。このデジタルラジオ受信器は、曲情報を記憶する内部メモリーと、内部メモリーに記録されている曲情報にフラグを付す契機を設定する操作部と、内部メモリーに曲情報を記憶する処理を行う制御部と、を備える。
【０００９】
ここで、曲情報とは音響情報の内容を特定するために、音響情報に付加されて放送されるデジタル情報であり、曲情報のみでそれに対応する音響情報が特定されるものである。また、操作部は、受信周波数、音量、表示部に表示する内容、デコーディングの方法等の多岐に渡るデジタルラジオ受信器の動作状態を操作する。また、操作部は内部メモリーに記憶された曲情報にフラグを付す契機を設定するが、この契機の設定は、例えば、操作部に設けられている釦によって行うことができる。ここで、フラグを付すとは曲情報を記録する領域に配された、例えば、１ビットのフラグ領域に「１」を書き込むことを言いうものである。フラグを付した後（フラグ領域に「１」が書き込まれた後）には、この曲情報は重要であるとしてデジタルラジオ受信器の制御部は取り扱い、曲データを削除する種々の動作の一部の動作においては、フラグが付された曲情報の削除が禁止されることとなる。
【００１０】
内部メモリーは、曲情報、または、曲情報およびマイコンを有する場合の制御部が必要とするソフトウエアを格納するに十分な容量を最小限有しており、不揮発性メモリーで形成しても良く、内部メモリーに曲情報のみを記憶する場合には、電池でバックアップされた揮発性メモリーで形成しても良い。また、制御部は専用のデジタルハードウエアで構成しても良く、マイコン（ＣＰＵ）、さらには、マイコンを動作させるためのソフトウエアを記憶させるメモリーを同一チップ内に配した１チップマイコンとして形成しても良い。
【００１１】
実施形態のデジタルラジオ受信器は、このような構成を有することによって、内部メモリーには比較的記憶容量が小さい曲情報のみを記憶するようにして、デジタルラジオ受信器の小型化を図ったものである。また、デジタルラジオ受信器には、ヘッドフォンを設けて、現在放送中の音響情報、例えば、音楽情報等をリアルタイムで聴取することもできる。この場合においても、デジタルラジオ受信器には音響情報そのものを記憶するようになされないので、ユーザーはリアルタイムで聴取する場合以外には音響情報を利用できず、これによってその音響情報に係る著作権を保護することができる。
【００１２】
そして、このようなデジタルラジオ受信器によって曲情報を取得した後は、この曲情報に基づき、音響情報ダウンロード装置を介して、音響情報そのものを得ることができる。
【００１３】
ここで、音響情報ダウンロード装置の形態としては、一般のパーソナルコンピューターを音響情報ダウンロード装置として使用するものであっても良く、また、専用のインターネット端末として音響情報ダウンロード装置を形成するものであっても良い。また、内部メモリーから音響情報ダウンロード装置に曲情報を移動するに際しては、直接に移動するようにしても良いが、外部装置を介在させて移動させるようにしても良い。外部装置は、内部メモリーに格納された曲情報を音響情報ダウンロード装置に移動させる媒体として機能するものであり、不揮発メモリー等の記憶媒体を有するものである。また、デジタルラジオ受信器から音響情報ダウンロード装置への曲情報の移動に際する情報通信の方法としては、相互に有線接続して、通信終了後に分離するものとしても良く、無線ラン等を用いて相互で情報を通信するものであっても良い。さらに、デジタルラジオ受信器から外部装置、外部装置から音響情報ダウンロード装置への曲情報の移動に際する情報通信の方法としては、相互に有線接続して、通信終了後に分離するものとしても良く、無線ラン等を用いて相互で情報を通信するものであっても良い。
【００１４】
このような手順で、音響情報の再生がなされるので、曲情報のみを音響情報ダウンロード装置に取得させれば、容易に、この曲情報が特定する音響情報を音響情報ダウンロード装置にダウンロードすることができる。また、この曲情報が特定する音響情報を、音響情報ダウンロード装置を介して上述した外部装置の機能とデジタルラジオ受信器の機能とを一体構造として携帯可能とするデジタルラジオ受信器に直接にダウンロードすることもできる。ここで、音響情報の提供者は、ダウンロードを許可するに際して課金をすることができるので、著作権の保護を図りながらユーザーに音楽等の音響情報を提供することができる。
【００１５】
以下において図面を参照して、実施形態のデジタルラジオ受信器および実施形態の音響情報の再生方法について詳細に説明をする。
【００１６】
図１は実施形態のデジタルラジオ受信器のブロック図である。デジタルラジオ受信器１０は、デジタルラジオ受信部１１、操作部１２、表示部１３、制御部として機能するマイコン１４、内部メモリー１５、外部装置接続コネクタ１６、Ｄ／Ａ変換部１７を備えている。
【００１７】
デジタルラジオ受信部１１は、デジタルラジオ受信部１１に接続されたアンテナ２１を介して電波を取り込み、例えば、アメリカで放送開始されているHD-RADIO等のデジタルラジオ放送を受信する。デジタルラジオ受信部１１は、音響情報、例えば、音声信号だけではなく、音響情報に関する情報を含むデータの受信も可能である。音響情報に関する情報としては、例えば、放送されている音楽の曲名、アーティスト名、アルバム名、曲毎に一意に決められたID、提供者のインターネット接続情報等であり、これらも受信できるようになされている。また、アルバム名に替えて放送の番組名、さらに、広くは番組を特定するための番組情報が放送される場合もある。これらの音響情報に関する情報は曲情報（曲データ）とも称され、音響情報を特定する情報である。さらには、曲情報に加えて、放送局の局名、放送周波数、その他の放送に関する情報が放送される場合もあり、このような情報は放送を特定する情報であるので放送情報と称される。曲情報と放送情報の内容は、例えば、番組情報の一部が両方に含まれる等、一部重複する場合もあり得る。また、曲情報と放送情報とを合わせて関連情報と称される。
【００１８】
デジタルラジオ受信部１１は、アンテナで受信した電波のうちで必要な電波のみを適切なレベルとするフロントエンド、フロントエンドからの信号（例えばＯＤＦＭ信号）を復調する復調部、復調部からの信号をデコードするデコード部を有している。デコード部では圧縮された音響情報をデコードするのみならず、付加情報（曲情報、番組情報等）もデコードし、マイコン１４へ出力する。このマイコン１４との通信ラインはマイコン１４からデジタルラジオ受信部１１をコントロールする信号も通信されるようになされることが多い。
【００１９】
操作部１２は、デジタルラジオ受信器１０を操作する部分であり、マン・マシーン・インターフェイスとして機能する。例えば、受信するラジオ受信局を変更したり、音量を操作したりできる。放送されている音楽が気にいった場合に操作部に配置された記録釦を押すことにより、曲情報を内部メモリーに蓄える事ができるようになされている。
【００２０】
表示部１３は、デジタルラジオ受信器１０の状態や受信したデータ等の表示を行う表示装置であり、例えば、液晶ディスプレイとして形成されている。この液晶ディスプレイには、曲情報（例えば、音楽の曲名、アーティスト名、アルバム名（または、番組情報）、曲毎に一意に決められたID、提供者のインターネット接続情報等）、放送情報（例えば、放送局の局名、放送周波数、その他の放送に関する情報）、両者を含む関連情報の一部または全部を表示することができるのみならず、デジタルラジオ受信器１０の状態、例えば、音量設定、音質設定、等を表示することができる。
【００２１】
マイコン１４は、デジタルラジオ受信器１０を制御するコントロール部として機能して、操作部１２からの信号を受け付け、内部メモリー１５を制御し、表示部１３に表示し、外部装置接続コネクタ１６にデータを送る。また、デジタルラジオ受信部１１でデコードされた付加情報もマイコン１４で受けて処理される。
【００２２】
内部メモリー１５は受信されている曲の関連情報を記憶するのに用いる。また、マイコンの補助記憶装置としても機能し、デジタルラジオ受信器１０を動作させるに必要なプログラムも格納されている。また補助記憶装置としての機能をマイコンに内蔵して、両者を合わせて１チップマイコンとして形成されている場合もある。
【００２３】
外部装置接続コネクタ１６は、情報の移動の際に、外部装置３０をデジタルラジオ受信器１０に接続するためのコネクタである。外部装置３０としては、種々の、形態が考えられ、少なくとも曲情報を記録することができるようになされている。外部装置３０については、より詳しく後述する。
【００２４】
Ｄ／Ａ変換部１７は、デジタルラジオ受信部１１でデコードされたデジタルの音響情報をアナログの音響情報に変換してヘッドフォン２２に供給するためのものである。なお、実施形態のデジタルラジオ受信器１０では、音響情報をユーザーが耳で聞きながら、必要な関連情報を内部メモリー１５に格納するためにＤ／Ａ変換部１７とヘッドフォン２２とは設けられているのであるから、音響情報をユーザーが耳で聞くことなく、必要な関連情報を内部メモリー１５に格納する場合には必要とはされない。Ｄ／Ａ変換部１７とヘッドフォン２２とが設けられている場合にはこの音響情報を頼りに必要な情報を内部メモリー１５に格納することができる。また、Ｄ／Ａ変換部１７とヘッドフォン２２とが設けられていない場合には、表示部１３の液晶ディスプレイに表示された曲情報を頼りに必要な情報を内部メモリー１５に格納することができる。
【００２５】
図２は、時系列として、どの様に音響情報と曲情報とが、電波を媒介として受信されるかを示す図である。音響情報を受信している時間の間に曲情報が挿入されており、音響情報がより長い時間受信されるのが一般的である。また、放送情報が送信される場合には、曲情報に併せて放送情報が送信される。つまり、時分割によって音響情報と曲情報とが放送される。
【００２６】
図３は、図２に示す音響情報と曲情報との関係をより詳細に説明する図であり、図３（Ａ）に望ましい音響情報と曲情報との関係を示し、図３（Ｂ）に現実の音響情報と曲情報との関係を示す。望ましい音響情報と曲情報との関係では、音響情報と曲情報とが必ず一対一に対応しており、音響情報に隣接（音響情報の直前または直後の予め定める一方）して配置される曲情報は必ずその音響情報に対応するものである。しかしながら、音響情報と曲情報とは同時に生成されるものではなく、別の時刻に生成された情報を事後において合成するものであるから、その関係を時系列情報として完全に同期することは著しく困難である。その結果、図３（Ａ）に示す、理想形態ではなく、図３（Ｂ）に示すように、音響情報と曲情報とが関連性なく時系列配置される場合が生じ得る。
【００２７】
図３（Ｂ）を参照して、より具体的に説明をする。ここで、例えば、音響情報１が第１のミュージシャンの演奏による楽曲であり、曲情報１がこの音響情報１に付随する曲情報であり、音響情報２が第２のミュージシャンの演奏による楽曲であり、曲情報２がこの音響情報２に付随する曲情報であるとする。この場合に音響情報１に事後的に音響情報１を図３（Ａ）に示すような理想状態で付加することには困難が伴う場合が多い。その理由は、ライブ演奏の場合には放送を行いながら、付加情報としての曲情報を付加する場合も多く、この場合には精度高く、両者の時間を合わせる時間的な余裕がなく、例えば、１０秒程度の時間ずれが生じる場合もあるからである。
【００２８】
図３（Ｂ）に示すような時系列として放送が送信される場合に、放送をデコードして音響情報を再生して聴取しながら曲情報を補足して、この曲情報を記憶する場合には、その音響情報に対応しない曲情報をユーザーが得てしまう恐れがある。
【００２９】
また、別の例としては、所謂、フェードイン効果、フェードアウト効果を発揮する場合には、２つの音響情報が入り交じり再生されるので、所望の音響情報に対応した曲情報を取得たいと思っても誤った曲情報を得てしまい、所望の曲情報を得る機会を逸してしまう場合もあり得る。さらには、上述した音響情報と曲情報との間の時間ずれと、上述したフェードイン効果、フェードアウト効果が伴う場合には、音響情報と曲情報とが３以上に渡り一致しない場合が容易に生じ得る。以上述べた事態を回避するための具体的な実施形態を以下に説明する。
【００３０】
（第１の実施形態）
図４は上述したデジタルラジオ受信器１０がどのように動作して、所望の曲情報を得るかについて具体的に示す第１の実施形態のフローチャートである。このフローチャートは、マイコン１４で行う処理を中心に説明するものである。
【００３１】
電源ＯＮとされた後、
ステップＳＴ１００では、現在放送されている曲（music）に付随した曲情報を受信する。より具体的には、デジタルラジオ受信部１１で受信した後、マイコン１４によって曲情報（例えば、曲名、アーティスト名、曲ID、提供者のインターネット接続情報等）をデコードする。そして、曲情報が更新される毎に、ステップＳＴ１０１に処理は移動する。
【００３２】
ステップＳＴ１０１では、内部メモリー１５内に同じ曲情報が有るか否かを判断する。
既に内部メモリー１５に記憶されている曲情報を複数回、重複して記憶すると記憶容量を無駄に消費するからである。
判断結果が否定（Ｎｏ）である場合には処理はステップＳＴ１０２へ移動し、判断結果が肯定（Ｙｅｓ）である場合には処理はステップＳＴ１０５へ移動する。
【００３３】
ステップＳＴ１０２では、内部メモリー１５内に記憶された曲情報の内、フラグ無し（フラグに「０」が書かれている曲情報）の記憶された曲情報がＮ曲（Ｎ個）であるか否かを判断する。ここでＮは内部メモリー１５に記憶できるフラグなしの曲情報の最大の数であり、この数は操作部１３から設定することができるようになされている。また、操作部１３の操作によって、フラグ無し曲情報の最大記憶可能数以外にも、フラグ無し曲情報とフラグ付き曲情報（フラグに「１」が書かれた曲情報）とを合わせた曲情報の最大記憶可能数を適宜な数Ｍに設定することもできるようになされている。
【００３４】
図５はフラグについての説明をするための概念図である。フラグは、内部メモリー１５内に順次記憶される曲情報がユーザーにとって有益か否かをユーザーが決定し、有益と決定された場合には、内部メモリー１５の各曲情報のフラグ（フラグビット）は「１」とされ、有益ではないと決定された場合には「０」が書かれており、または、有益性が未定の場合には、内部メモリー１５の各曲情報のフラグはデフォルト状態の「０」が維持されるものである。内部メモリー１５は、時間的により早く内部メモリー１５に記憶された曲情報ほど、より小さなアドレス値で指定されるメモリーに格納されている。
【００３５】
すなわち、ステップＳＴ１０２では、内部メモリー１５内に記憶された曲情報の内でフラグの値が「０」のメモリーの個数がＮで有るか否かを判断するものである。ここで、Ｎは正の整数であり、Ｎの大きさはユーザーが予め定める値である。Ｎの数を所定値とすることによって、必要とされる内部メモリー１５の数に上限を定め、無用な内部メモリー１５の容量の増加を防いでいる。
【００３６】
ステップＳＴ１０２での判断結果が、Ｎｏである場合には、内部メモリー１５に未だ格納可能な容量が残されている場合であり、処理はステップＳＴ１０４へ移る。一方、ステップＳＴ１０２での判断結果が、Ｙｅｓである場合には、内部メモリー１５にはフラグを付さない曲情報については格納可能な容量が残されていない場合であり、処理はステップＳＴ１０３へ移る。
【００３７】
ステップＳＴ１０３では、内部メモリー１５内に記憶されている曲情報の内で一番古いフラグ無し（フラグの値が「０」）の曲情報を削除する。
ここで、一番古いとは、最も早い時間に記憶されたという意味であり、これは、内部メモリー１５のアドレス値が最も小さいという意味で有る。例えば、図５で、最小アドレスに記憶された曲情報１のフラグが「０」であれば、曲情報１が削除される。そして、内部メモリー１５のアドレスは、順に詰められ、曲情報１の格納場所には曲情報２が替わって記憶され、曲情報２の格納場所には曲情報３が替わって記憶され、同様にして、順次メモリーの内容（曲情報）が移動され、先頭からＮ番目のアドレスで指定されるメモリーに記憶された曲情報は、Ｎ−１番目のアドレスで指定されるメモリーに記憶された曲情報に書き換えられる。ここで、上述したメモリーの内容を置き換える処理は、要は、曲情報の内で一番古いフラグ無しの曲情報を特定できるようにするための処理の一例であり、この目的を達成する処理であれば、別の処理でも良く、例えば、ポインタの書き換え等の他の処理であっても良い。
【００３８】
ステップＳＴ１０４では、内部メモリー１５に曲情報を格納する。
すなわち、ステップＳＴ１０２において、内部メモリー１５に空き容量があると判断された場合には、既に記憶済みのメモリーに対応するアドレスの次のアドレスが指定するメモリーに最新の曲情報が記憶され、ステップＳＴ１０３において、Ｎ番目のアドレスで指定されるメモリーの内容が削除された場合には、Ｎ番目のアドレスで指定されるメモリーに最新の曲情報が記憶される。その後、処理はステップＳＴ１０５へ移動する。ここで、削除されるメモリーを指定するアドレスは、上述したメモリーの内容を置き換える処理に対応して、上述したアドレスとは異なる場合もあり得る。要は、ステップＳＴ１０４での処理は、空き領域を確保して曲情報を格納する処理であるので、この目定を達することができれば、処理の具体的な内容はこれに限られるものではない。
【００３９】
ステップＳＴ１０５では、操作部１２の記録釦が押されたか否かを判断する。ここで、記録釦とは、このボタンを押すことによって、内部メモリー１５に記録された曲情報のフラグを「１」とする契機を与える信号をマイコン１４に送るための釦である。
ステップＳＴ１０５での判断結果がＹｅｓの場合には、処理はステップＳＴ１０６へ移り、判断結果がＮｏの場合には、処理は、ステップＳＴ１０７へ移る。
【００４０】
ステップＳＴ１０６では、内部メモリー１５内の曲情報のすべてにフラグを付加する（フラグの値を「１」とする）。その後、処理は、ステップＳＴ１０７へ移る。
【００４１】
ステップＳＴ１０７では、外部装置３０が接続されているか否かを判断する。
外部装置３０が接続されているか否かの判断は、種々の手法で行うことができ、例えば、外部装置３０に接続を確認するためのコマンドを送出し、それに対する応答が外部装置３０から戻って来るか否かを検出するようにしても良く、例えば、外部装置接続コネクタ１６の近傍にプッシュスイッチを設け、そのプッシュスイッチが外部装置３０によって押されることによって、外部装置３０が接続されていることを確認することもできる。
ステップＳＴ１０７での判断結果がＹｅｓの場合には、処理はステップＳＴ１０８へ移り、判断結果がＮｏの場合には、処理は、ステップＳＴ１００へ移る。外部装置が接続されている場合は、直接外部装置に送る事が出来るが、接続されていない場合は転送できないので、内部メモリー１５に外部装置３０が接続されるまで、記憶させておく必要があるからである。
【００４２】
ステップＳＴ１０８では、内部メモリー１５のフラグ付き曲情報（フラグが「１」である曲情報）のすべてを外部装置３０に転送する。
ステップＳＴ１０８での処理が終了後に処理はステップＳＴ１０９へ移る。
【００４３】
ステップＳＴ１０９では、内部メモリー１５のフラグ付き曲情報（フラグが「１」である曲情報）のすべてを削除する。外部装置３０にフラグが「１」の曲情報は既に転送され、内部メモリー１５に記憶しておく意味がなく、内部メモリー１５に新たな曲情報を記憶できるように空き容量を確保するためである。削除の動作は、今回、記憶内容（曲情報）が削除されたアドレスの最先頭アドレスを見つけ出し、今回、曲情報が削除されたアドレスに順に、後ろのアドレスに記憶された曲情報を詰める作業を行うことである。これは、フラグが「０」とされた曲情報がない場合には、実質的には、内部メモリー１５の記憶内容をすべて空にして、再び、内部メモリー１５の先頭番地からの記憶を可能とすることと等価である。ステップＳＴ１０９における具体的な処理は、上述した具体的な処理に限らず、内部メモリー１５のフラグ付き曲情報のすべてを削除する処理と等価な処理であれば、どのような処理であっても良い。
【００４４】
ステップＳＴ１０７で、外部装置３０が接続されている場合には、必要に応じて、マイコン１４は外部装置３０と情報のやり取り（ベリファイ動作）をして、記録釦が押されフラグが「１」である曲情報の転送が行われたことを確認する特別の表示、例えば、表示部１３の液晶表示の画面にチェックマークを付加する表示、または、液晶表示の画面の色を変える表示等を行うことができる。
【００４５】
ステップＳＴ１０７で、転送される曲情報の数は１からＭまでの数であり、図６にフラグとフラグが「１」とされる曲情報の数についての例を示すが、例えば、図６（Ａ）に示すように、フラグが「１」とされた曲情報の数が１である場合には転送される曲情報の数は１であり、図６（Ｂ）に示すように、フラグが「１」とされた曲情報の数が３である場合には転送される曲情報の数は３であり、図６（Ｃ）に示すように、フラグが「１」とされた曲情報の数がＭである場合には転送される曲情報の数はＭである。ここで、転送される曲情報はフラグが「１」となっていることが条件であるので、最大Ｎ個のフラグ付かない曲情報についても、最終処理の段階までにフラグ付き曲情報とされた場合には、Ｍ個にＮ個も含まれることとなる。なお、操作部１２からの操作によってフラグが付かない曲情報をフラグが付いた曲情報に修正し、また、フラグが付いた曲情報をフラグが付かない曲情報に修正する様にしてもよい。
【００４６】
上述の実施形態では、転送する曲情報にはフラグ「１」を付すようにしたが、フラグ「１」を付すことなく、外部装置３０に転送するためのバッファ領域を内部メモリー１５に設け、このバッファ領域にすべてのフラグ「１」に対応する曲情報を一旦記憶して、外部装置３０が接続された後の適宜なタイミングでバッファ領域に保存された曲情報をすべて外部装置３０に転送するようにしても良い。
【００４７】
（第２の実施形態）
図７に示すフローチャートを参照して、別の実施形態である第２の実施形態の説明をする。別の実施形態のステップＳＴ２０７からステップＳＴ２１１までの処理は、第１の実施形態のステップＳＴ１０５からステップＳＴ１０９までの処理と同様であるので、この部分の処理については簡単に説明をするに留める。
【００４８】
電源ＯＮとされた後、
ステップＳＴ２００では、現在放送されている曲（music）に付随した曲情報と番組情報とを受信する。より具体的には、デジタルラジオ受信部１１で受信した後、マイコン１４によって曲情報（例えば、曲名、アーティスト名、曲ID、提供者のインターネット接続情報等）をデコードする。また、番組情報も同様にマイコン１４によってデコードする。ここで、番組情報も曲情報と同様に放送局から音響情報とともに送信される情報である。番組情報の内容としては、少なくとも番組名を含んでいる（例えば、「今週のヒットチャート」等）。また、番組情報としては、さらに、番組提供スポンサー名、番組の司会者の名前、番組編集方針等のメッセージを含ませることができる。そして、曲情報が更新される毎に、ステップＳＴ２０１に処理は移動する。
【００４９】
ステップＳＴ２０１では、内部メモリー１５内に同じ曲情報が有るか否かを判断する。
既に内部メモリー１５に記憶されている曲情報を複数回、重複して記憶すると記憶容量を無駄に消費するからである。判断結果がＮｏである場合には処理はステップＳＴ２０２へ移動し、判断結果がＹｅｓである場合には処理はステップＳＴ２０７へ移動する。
【００５０】
ステップＳＴ２０２では、番組情報をデコードした結果を元にして、番組の内容が変化したか否かを判断する。
【００５１】
ステップＳＴ２０２での判断結果が、Ｙｅｓである場合には、処理はステップＳＴ２０３へ移動し、ステップＳＴ２０２での判断結果が、Ｎｏである場合には、処理はステップＳＴ２０４へ移動する。
【００５２】
ステップＳＴ２０３では、内部メモリー１５内のフラグ無し情報（フラグが「０」である情報）をすべて削除する。
ステップＳＴ２０３における処理は逆の見方をすれば、内部メモリー１５内のフラグ付きの情報（フラグが「１」である情報）は削除しない処理である。
すなわち、それまでに蓄えていた、それ以前の番組の曲情報でフラグが「０」である曲情報のすべてを削除して、その空いたアドレスの記憶内容は順によりアドレス番号が大きいアドレスの曲情報に置き換えられ、先頭番地から順に内部メモリー１５のメモリーには曲情報が格納される。これによって、ユーザーが興味を有さない番組の曲情報を削除して内部メモリー１５の空き容量を増やすことができる。その後、処理はステップＳＴ２０４へ移動する。
【００５３】
ステップＳＴ２０４では、内部メモリー１５が一杯（ＦＵＬＬ）か否かを判断する。ここで、内部メモリー１５がＦＵＬＬであるとは、内部メモリー１５の予め定めた記憶容量のすべてに曲情報が格納されている状態をいうものである。
そして、ステップＳＴ２０４での判断結果が、Ｙｅｓである場合には、処理はステップＳＴ２０５へ移動し、ステップＳＴ２０４での判断結果が、Ｎｏである場合には、処理はステップＳＴ２０６へ移動する。
【００５４】
ステップＳＴ２０５では、内部メモリー１５に記憶されている曲情報の内で一番古いフラグ無し（フラグが「０」）である曲情報を削除する。ここで、一番古いフラグ無し曲情報は、内部メモリー１５のアドレスの内で最も先頭に位置する曲情報のフラグが「０」の曲情報が記憶されたアドレスの記憶内容であるので、簡単に特定することができる。また、一番古いフラグ無し曲情報を削除した後には、この一番古いフラグ無し曲情報が格納されたアドレスの次のアドレスに記憶された曲情報が置き換えられる。このようにして、順次、曲情報の並び替えがなされ、曲情報の記憶領域として確保された複数個のアドレスの最後の番号のアドレスが空にされる。
【００５５】
ステップＳＴ２０６では、内部メモリー１５の記憶された最後のアドレスの次のアドレスにステップＳＴ２００で取得された曲情報が記憶される。ステップＳＴ２０５を経由して、ステップＳＴ２０６に至った場合には、ステップＳＴ２００で取得された曲情報は、最後の番号のアドレスに記憶される。そして、処理はステップＳＴ２０７へ移る。
【００５６】
ステップＳＴ２０７では、操作部１２の記録釦が押されたか否かを判断する。
ステップＳＴ２０７での判断結果がＹｅｓの場合には、処理はステップＳＴ２０８へ移り、判断結果がＮｏの場合には、処理は、ステップＳＴ２０９へ移る。
【００５７】
ステップＳＴ２０８では、内部メモリー１５内の曲情報のすべてにフラグを付加する（フラグの値を「１」とする）。その後、処理は、ステップＳＴ２０９へ移る。
【００５８】
ステップＳＴ２０９では、外部装置３０が接続されているか否かを判断する。ステップＳＴ２０９での判断結果がＹｅｓの場合には、処理はステップＳＴ２１０へ移り、判断結果がＮｏの場合には、処理は、ステップＳＴ２００へ移る。
【００５９】
ステップＳＴ２１０では、内部メモリー１５のフラグ付き曲情報（フラグが「１」である曲情報）のすべてを外部装置３０に転送する。
ステップＳＴ２１０での処理が終了後に処理はステップＳＴ２１１へ移る。
【００６０】
ステップＳＴ２１１では、内部メモリー１５のフラグ付き曲情報（フラグが「１」である曲情報）のすべてを削除する。
【００６１】
上述の実施形態では、転送する曲情報にはフラグ「１」を付すようにしたが、第１の実施形態の変形例と同様にフラグ「１」を付すことなく、外部装置３０に転送するためのバッファ領域を内部メモリー１５に設け、このバッファ領域にすべてのフラグ「１」に対応する曲情報を一旦記憶して、外部装置３０が接続された後の適宜なタイミングでバッファ領域に保存された曲情報をすべて外部装置３０に転送するようにしても良い。
【００６２】
（第３の実施形態）
図８に示すフローチャートを参照して、さらに別の実施形態である第３の実施形態の説明をする。第３の実施形態のステップＳＴ３０５からステップＳＴ３０９までの処理は、第１の実施形態のステップＳＴ１０５からステップＳＴ１０９までの処理と同様であるので、この部分の処理については簡単に説明をするに留める。
【００６３】
電源ＯＮとされた後、
ステップＳＴ３００では、現在放送されている曲（music）に付随した曲情報を受信する。より具体的には、デジタルラジオ受信部１１で受信した後、マイコン１４によって曲情報（例えば、曲名、アーティスト名、曲ID、提供者のインターネット接続情報等）をデコードする。そして、曲情報が更新される毎に、ステップＳＴ３０１に処理は移動する。
【００６４】
ステップＳＴ３０１では、内部メモリー１５内に同じ曲情報が有るか否かを判断する。
判断結果がＮｏである場合には処理はステップＳＴ３０２へ移動し、判断結果がＹｅｓである場合には処理はステップＳＴ３０５へ移動する。
【００６５】
ステップＳＴ３０２では、内部メモリー１５が一杯（ＦＵＬＬ）か否かを判断する。
そして、ステップＳＴ３０２での判断結果が、Ｙｅｓである場合には、処理はステップＳＴ３０３へ移動し、ステップＳＴ３０２での判断結果が、Ｎｏである場合には、処理はステップＳＴ３０４へ移動する。
【００６６】
ステップＳＴ３０３では、内部メモリー１５に記憶されている曲情報の内で一番古いフラグ無し（フラグが「０」）である曲情報を削除する。ここで、一番古いフラグ無し曲情報は、内部メモリー１５のアドレスの内で最も先頭に位置する曲情報のフラグが「０」の曲情報が記憶されたアドレスの記憶内容であるので、簡単に特定することができる。また、一番古いフラグ無し曲情報を削除した後には、この一番古いフラグ無し曲情報が格納されたアドレスの次のアドレスに記憶された曲情報が置き換えられる。このようにして、順次、曲情報の並び替えがなされ、曲情報の記憶領域として確保された複数個のアドレスの最後の番号のアドレスが空にされる。
【００６７】
ステップＳＴ３０４では、内部メモリー１５の記憶された最後のアドレスの次のアドレスにステップＳＴ３００で取得された曲情報が記憶される。ステップＳＴ３０３を経由して、ステップＳＴ３０４に至った場合には、ステップＳＴ３００で取得された曲情報は、最後の番号のアドレスに記憶される。そして、処理はステップＳＴ３０５へ移る。
【００６８】
ステップＳＴ３０５では、操作部１２の記録釦が押されたか否かを判断する。
ステップＳＴ３０５での判断結果がＹｅｓの場合には、処理はステップＳＴ３０６へ移り、判断結果がＮｏの場合には、処理は、ステップＳＴ３０７へ移る。
【００６９】
ステップＳＴ３０６では、内部メモリー１５内の曲情報のすべてにフラグを付加する（フラグの値を「１」とする）。その後、処理は、ステップＳＴ３０７へ移る。
【００７０】
ステップＳＴ３０７では、外部装置３０が接続されているか否かを判断する。ステップＳＴ３０７での判断結果がＹｅｓの場合には、処理はステップＳＴ３０８へ移り、判断結果がＮｏの場合には、処理は、ステップＳＴ３００へ移る。
【００７１】
ステップＳＴ３０８では、内部メモリー１５のフラグ付き曲情報（フラグが「１」である曲情報）のすべてを外部装置３０に転送する。
ステップＳＴ３０８での処理が終了後に処理はステップＳＴ３０９へ移る。
【００７２】
ステップＳＴ３０９では、内部メモリー１５のフラグ付き曲情報（フラグが「１」である曲情報）のすべてを削除する。
【００７３】
上述の実施形態では、転送する曲情報にはフラグ「１」を付すようにしたが、第１の実施形態の変形例と同様にフラグ「１」を付すことなく、外部装置３０に転送するためのバッファ領域を内部メモリー１５に設け、このバッファ領域にすべてのフラグ「１」に対応する曲情報を一旦記憶して、外部装置３０が接続された後の適宜なタイミングでバッファ領域に保存された曲情報をすべて外部装置３０に転送するようにしても良い。
【００７４】
第１の実施形態では、ステップＳＴ１０２でフラグ無し曲情報の数がＮ曲で有るか否かを判断するようにしたが、この場合における数Ｎの値はユーザーが適宜に設定することができるようにしても良く、また、第２の実施形態のステップＳＴ２０４、第３の実施形態のステップＳＴ３０２で判断する内部メモリーがＦＵＬＬ（記憶可能容量のすべてに記憶がされている一杯の状態）であるかの判断におけるＦＵＬＬの状態の容量は適宜にユーザーが定めるようにしても良い。この場合において、この容量の設定は、ユーザーが操作部１２を操作することによって行うことができる。
【００７５】
外部装置３０について説明をする。外部装置３０としては、種々の態様が考えられる。外部装置３０は可搬性を考慮して、単に、曲情報のみを記憶する機能（メモリー機能）のみを有する曲情報記録のための不揮発性記憶装置として小型化を図ることができる。
【００７６】
図９は、実施形態の音響情報の再生方法、すなわち、デジタルラジオ受信器１０で取得した曲情報をどのようにして用いるかについて説明をするための図である。図９に記載された外部装置３０とパーソナルコンピューター（ＰＣ）４０とＰＣモニター５０と外部装置３０（図１にも記載されている）とで音響情報ダウンロード装置を構成している。図９を参照して、外部装置３０に記憶された曲情報をどのように使用するかについて、説明をする。
【００７７】
パーソナルコンピューター４０はインターネットと接続されている。また、パーソナルコンピューター４０は、液晶等で形成されたＰＣモニター５０が接続されている。また、パーソナルコンピューター４０は、外部装置インターフェイスを介して外部装置３０の着脱が可能とされている。なお、パーソナルコンピューター４０とＰＣモニター５０とは一体として構成される音響情報ダウンロード装置であっても良い。
【００７８】
パーソナルコンピューター４０の外部装置インターフェイスに外部装置３０が挿入されると、パーソナルコンピューター４０は、挿入されたことを検出して音響情報ダウンロードのプログラムを立ち上げ、または、手動操作によって音響情報ダウンロードのプログラムを立ち上げ、所定の手続きに従って、曲情報によって特定されるデジタル音響情報をパーソナルコンピューター４０にダウンロードする。このデジタル音響情報は原則的には放送され、デジタルラジオ受信器１０によって曲情報が取得されたデジタル音響情報と同じものである。また、外部装置が携帯情報記録再生端末装置として構成されている場合には携帯情報記録再生端末装置が、パーソナルコンピューター４０を介して音響情報をダウンロードする。
【００７９】
ダウンロードは具体的には、例えば、以下の手順で行なわれる。外部装置３０に記憶された曲情報の一覧が、ＰＣモニター５０に表示される。ユーザーはこの曲情報の中で、自己がダウンロードしたい音響情報に該当する曲情報だけにチェックマークを入れる等してダウンロードする対象を明示する。その後、インターネットを介してこれらの情報を該当する音響情報提供者のサーバーに送信することを許可する表示（ソフトスイッチ）をクリックする。
【００８０】
パーソナルコンピューター４０は曲情報または関連情報に含まれるインターネット接続先のアドレスを頼りに所定の接続先、すなわち、音響情報提供者と接続して。該当する音響情報のダウンロードの申し込みをする。これに対して、音響情報提供者（音響情報提供者のサーバー）はユーザーに対して、著作権に基づき課金をする場合には、その料金及びその引き落とし方法等をパーソナルコンピューター４０に送り返す。また、このときに、関連情報にユーザーが受信した放送局の局名、受信の日時を含めるようにしておき、音響情報提供者のサーバーにユーザーが受信した放送局の局名、受信の日時、さらには、番組名を記憶するようにして、これらの情報を市場調査の目的で音響情報提供者が用いるようにすることもできる。
【００８１】
ユーザーが課金を了承する場合には、その旨を音響情報提供者に通知するためのＰＣモニター５０に表示されたソフトスイッチをクリックして、パーソナルコンピューター４０の記憶装置に音響情報のダウンロードが開始される。また、外部装置が携帯情報記録再生端末装置として構成されている場合には携帯情報記録再生端末装置にパーソナルコンピューター４０を介して、直接に音響情報をダウンロードするようにしても良い。
【００８２】
このようにして、ユーザーは、放送をデジタルラジオ受信器１０によって受信した曲情報を、ユーザーの所望の契機で記録釦を押して曲情報を内部メモリー１５に格納し、内部メモリー１５に格納された曲情報を音響情報ダウンロード装置として機能するパーソナルコンピューター（ＰＣ）４０に移動し、パーソナルコンピューター４０は、曲情報に含まれるデジタル音響情報の提供者とインターネットで接続するためのインターネット接続情報に基づいてインターネット回線を介してデジタル音響情報の提供者のサーバーと通信してサーバーから曲情報によって特定されるデジタル音響情報をダウンロードすることができる。
【００８３】
また、ユーザーは、パーソナルコンピューター４０にダウンロードした音響情報をパーソナルコンピューター４０に接続されたオーディオ装置によって再生して楽しむことができる。また、パーソナルコンピューター４０から接続される携帯情報記録再生端末装置に音響情報をダウンロードした後に、携帯情報記録再生端末装置によって音響情報を再生して楽しむことができる。また、パーソナルコンピューター４０を介して、直接に音響情報を携帯情報記録再生端末装置にダウンロードするようにした場合には、その携帯情報記録再生端末装置をパーソナルコンピューター４０から切り離して、携帯しながら、再生して楽しむことができる。
【００８４】
図１０は、実施形態の変形例のデジタルラジオ受信器１０１のブロック図を示すものである。デジタルラジオ受信器１０１は上述したデジタルラジオ受信器１０の有する各部に加えて、さらに、無線ラン（ＬＡＮ）１８を備えるものである。また、このようなデジタルラジオ受信器１０１に対応して、外部装置３０１にも同様に無線ラン３１が備えられている。このような構成を有することによって、外部装置接続コネクタ１６を有さない構成を採用しても、デジタルラジオ受信器１０１は外部装置３０１と通信をすることが可能となる。
【００８５】
デジタルラジオ受信器１０１の操作部１２の記録釦が押されるごとに、それを認識したマイコン１４は、デジタルラジオ受信部１１から送出される曲情報を検出して、無線ラン１８を介して外部装置３０１の無線ラン３１に対してその曲情報を送出する。
【００８６】
無線ラン３１は、当該音響情報を識別可能とするメタ情報（Token）として機能する曲情報を外部装置３０１の内部の不揮発メモリー（例えば、EEPROM）に記憶する。このようにして、例えば、ヘッドフォン２２で音楽等を聴きながら曲情報を外部装置３０１に順次記録することができる。
【００８７】
ここで、外部装置３０１は、メタ情報の容量が外部装置３０１の内部の不揮発メモリーに記憶できる限度に近づいた場合、あるいは、不揮発メモリーに記憶できる限度を超えた場合には、デジタルラジオ受信器１０１に対して、外部装置３０１をパーソナルコンピューター４０に装着して、外部装置３０１をパーソナルコンピューター４０に接続して、それらの曲情報を移動させ、外部装置３０１の内部の不揮発メモリーの空き容量を増やすように警告をすることができる。この警告は、ヘッドフォン２２に対する音声等を用いた音響信号として聴覚に訴えるようにしても良く、あるいは、表示部１３に対する液晶表示等で視覚に訴えるようにしても良い。
【００８８】
また、デジタルラジオ受信器１０、または、デジタルラジオ受信器１０１のいずれかと、外部装置３０、または、外部装置３０１のいずれかを組み合わせた複合機能を有する製品をデジタルラジオ受信器として構成することもできる。この場合においては、上述したデジタルラジオ受信器１０、または、デジタルラジオ受信器１０１の機能を有するとともに、外部装置３０、または、外部装置３０１の機能を有する製品とすることができ、デジタルラジオ受信器としてラジオ放送を受信するとともに、曲情報、関連情報を蓄え、既に蓄えられた音響情報をデジタルラジオ受信器に設けられたヘッドフォンを介して聴くことができるものである。
【００８９】
また、外部装置３０に替えて外部装置３０１を用い、パーソナルコンピューター４０にも無線ランを供えるようにして、両者間の通信が電波を媒介として行われるようにして、両者の接続の手間を省くようにすることもできる。
【００９０】
また、外部装置は、上述したように、不揮発メモリーを内蔵するとともに、音響情報ダウンロード装置を介して曲情報が指定する音響情報をダウンロードするための音響情報ダウンロードインターフェイス装置、ダウンロードされた音響情報を記憶する音響情報記録装置、さらには、記憶された音響情報をデコードし、Ｄ／Ａ変換し、最終的にはヘッドフォン等で音響信号をユーザーが聞き得るようにする音響情報再生装置を一体として含んだ携帯情報記録再生端末装置としての形態とするようにしても良いものである。
【００９１】
さらに、外部装置は、上述するような携帯情報記録再生端末装置として構成するのみならず、携帯情報記録再生端末装置の有する機能とデジタルラジオ受信器１０の有する機能とをすべて併せ持つ、デジタルラジオ受信器として構成するようにしても良いものである。この場合には、外部装置３０のような媒介物を介することなく、デジタルラジオ受信器から直接に音響情報ダウンロード装置に対して曲情報を移動させることができる。
【００９２】
図１１は、どのように表示部１３に曲情報が表示されるかについて示す図である。図１１（Ａ）は、表示部１３に設けられた液晶の画面に表れる１行表示の例を示すものである。左側から順に記録日時（12/AUG/07が該当）、曲名（AAAAAAAAが該当）、アーティスト名（BBBBBBBが該当）、番組名（VVVVが該当）の各々の曲情報を示すものである。図１１（Ｂ）は、表示部１３に設けられた液晶の画面に表れるリスト表示の例を示すものである。左側から順に一の曲情報である、記録日時（12/AUG/07が該当）、曲名（AAAAAAAAが該当）、アーティスト名（BBBBBBBが該当）の曲情報の各々を示し、縦方向の２行目に別の曲情報である、記録日時（10/AUG/07が該当）、曲名（CCCCCCCCが該当）、アーティスト名（DDDDDDDが該当）、番組名（VVVVが該当）の曲情報の各々を示し、同様にして３行目に、記録日時（20/JUL/07が該当）、曲名（EEEEEEEEが該当）、アーティスト名（FFFFFFFが該当）、番組名（VVVVが該当）の曲情報の各々を示し、同様にして４行目に、記録日時（15/JUL/07が該当）、曲名（GGGGGGGGが該当）、アーティスト名（HHHHHHHが該当）、番組名（VVVVが該当）の曲情報の各々を示し、同様にして５行目に、記録日時（15/JUL/07が該当）、曲名（IIIIIIIIが該当）、アーティスト名（JJJJJJJが該当）、番組名（VVVVが該当）の曲情報の各々を示すものである。
【００９３】
この表示部に表示される情報によって、ユーザーは音響情報を聴取すること無く、したがって、ヘッドフォン２２、Ｄ／Ａ変換部１７を備えないデジタルラジオ受信器によっても、表示部に表示された情報のみを頼りにして、曲情報を得ることができる。そして、この曲情報から所望の音響情報を事後的に得ることができる。具体的な曲情報の取得の方法は、上述した第１の実施形態ないし第３の実施形態と同様であるが、第１の実施形態ないし第３の実施形態において記録釦をユーザーが操作する場合にヘッドフォン２２からの聴覚情報（音響信号）ではなく、表示部１３に表示される視覚情報によってユーザーが記録釦を押すタイミングを知ることができる。ここで、上述したように、音響情報と曲情報との間の時間ずれと、上述したフェードイン効果、フェードアウト効果が伴う場合には、音響情報と曲情報とが３以上に渡り一致しない場合が容易に生じ得るために、曲情報（番組情報も含む）を格納するメモリーの数は３以上とするのが望ましい。
【図面の簡単な説明】
【００９４】
【図１】デジタルラジオ受信器のブロック図である。
【図２】音響情報と曲情報との配列を時系列として示す図である。
【図３】図２に示す音響情報と曲情報との関係をより詳細に説明する図である。
【図４】デジタルラジオ受信器の動作を示すフローチャートである。
【図５】フラグについての説明をするための概念図である。
【図６】フラグとフラグが「１」とされる曲情報の数についての例を示す図である。
【図７】デジタルラジオ受信器の動作を示す別のフローチャートである。
【図８】デジタルラジオ受信器の動作を示すさらに別のフローチャートである。
【図９】音響情報の再生方法を説明するための図である。
【図１０】別のデジタルラジオ受信器のブロック図である。
【図１１】表示部に設けられた液晶の画面に表れる表示の例を示す図である。
【符号の説明】
【００９５】
１０、１０１  デジタルラジオ受信器、１１  デジタルラジオ受信部、１２  操作部、１３  表示部、１４  マイコン（制御部）、１５  内部メモリー、１６  外部装置接続コネクタ、１７  変換部、１８  無線ラン、２１  アンテナ、２２  ヘッドフォン、３０、３０１  外部装置、３１  無線ラン、４０  パーソナルコンピューター（音響情報ダウンロード装置）、５０  ＰＣモニター
【図１】
0004502027.tif 000002
【図２】
0004502027.tif 000003
【図３】
0004502027.tif 000004
【図４】
0004502027.tif 000005
【図５】
0004502027.tif 000006
【図６】
0004502027.tif 000007
【図７】
0004502027.tif 000008
【図８】
0004502027.tif 000009
【図９】
0004502027.tif 000010
【図１０】
0004502027.tif 000011
【図１１】
0004502027.tif 000012